(57)【要約】【課題】タンク収納部への燃料供給タンクの安定した設置と着脱作業を容易にし、給油作業時の負担を軽減して使い勝手と安全性の向上を図るものである。【解決手段】燃焼機器本体２１と、燃焼機器本体に設け、燃料を一時的に貯留する油受け容器２４と、油受け容器に着脱自在に設け、燃料を油受け容器に供給する持ち運び可能な燃料供給タンク２３と、油受け容器の上部に位置して燃焼機器本体内に設け、燃料供給タンクを収納するタンク収納部２５およびタンク収納部を開閉する開閉扉２６とを備え、タンク収納部２５は、燃焼機器本体の横方向から燃料供給タンクを着脱できるように側面を開放し、タンク収納部の開放した側面を覆う開閉扉２６を不用意に開かないようにするロック手段３９を設けた石油暖房燃焼機である。【選択図】  図１
2004251548.tif 000002
【特許請求の範囲】
【請求項１】
燃焼機器本体と、前記燃焼機器本体に設け、燃料を一時的に貯留する油受け容器と、前記油受け容器に着脱自在に設け、燃料を前記油受け容器に供給する持ち運び可能な燃料供給タンクと、前記油受け容器の上部に位置して前記燃焼機器本体内に設け、前記燃料供給タンクを収納するタンク収納部およびタンク収納部を開閉する開閉扉とを備え、前記タンク収納部は、前記燃焼機器本体の横方向から前記燃料供給タンクを着脱できるように側面を開放し、前記タンク収納部の開放した側面を覆う前記開閉扉を不用意に開かないようにするロック手段を設けてなる石油燃焼機。
【請求項２】
ロック手段のロック状態を検出するロック検知手段と、前記ロック検知手段によるロックされていない検知信号に基づき、燃焼できないようにする制御手段とを有する請求項１記載の石油燃焼機。
【発明の詳細な説明】
【０００１】
【発明の属する技術分野】
本発明はカートリッジ式の燃料供給タンクを着脱自在に備えた石油燃焼暖房機等の石油燃焼機に関するものである。
【０００２】
【従来の技術】
従来の石油燃焼暖房機等の石油燃焼機について、図５〜図８を用いて説明する。図５に示すように、長方形状の燃焼機器本体１は、前面下部のルーバ２の部分より、石油を燃焼させて空気を温めた温風を吹出して部屋を暖房するものである。そして、燃焼機器本体１は、石油を供給するカートリッジ式の持ち運び可能な燃料供給タンク３を燃焼機器本体１の上方より燃焼機器本体１の左隅上面に開口４ａしたタンク収納部４に着脱自在に設置している。
【０００３】
すなわち、燃料供給タンク３は、石油を補給する時には開閉扉５を開き、取っ手６を持ってタンク収納部４より、燃料供給タンク３の長さ以上に持ち上げて取りだし、また石油を補給した燃料供給タンク３をタンク収納部４に設置する時には、取っ手６を持って持ち運んできた燃料供給タンク３を、燃焼機器本体１の高さ以上に持ち上げ、かつタンク収納部４の真上に横移動させて開口４ａに合わせながらタンク収納部４内に下ろして設置するものである。
【０００４】
このように取り扱う燃料供給タンク３は、使い勝手上から使用中における燃料補給の回数を少なくして手間を省くことと、燃焼機器本体１における設置スペースを小さくするために図７、図８に示すように縦長の直方体に形成され、上面に取っ手６を、下面中央に石油を供給する給油口７を設け、この給油口７に弁機構８を有する給油キャップ９を取り付け、給油口７の端面７ａを給油キャップ９に設けたシール面８ｃでシールすることにより、弁機構８を介して給油口７の開放状態と閉塞状態を保つような構成としている。
【０００５】
そして、燃料供給タンク３は、燃焼機器本体１のタンク収納部４に設置する時は、図６に示すように給油口７を下向きにして燃焼機器本体１内の下部に設けてある油受け容器１０の受け部１０ａに嵌合することで、燃料供給タンク３の全体の重量を受けて受け部１０ａ内に設けた固定の弁押し上げピン１１により弁体８ｂが内蔵バネ８ａおよび石油の圧力に抗して押し上げられ、弁機構８の吐出口１２が強制的に開放され油受け容器１０に石油が供給され、油受け容器１０内の油面が弁機構８の吐出口１２に達すると燃料供給タンク３からの石油の供給が停止する。
【０００６】
従って、油受け容器１０内の燃料が消費され油面が低下する毎に、燃料供給タンク３からの燃料の供給が開始される。この繰り返しにより燃料供給タンク３から油受け容器１０への燃料の供給が自動的に行われる。
【０００７】
次に、燃料供給タンク３の燃料が消費され補給が必要となった場合は、燃焼機器本体１のタンク収納部４から燃料供給タンク３を取り出すことで、弁押し上げピン１１が弁機構８から離れ、弁機構８は内蔵バネ８ａにより弁体８ｂを吐出口１２に密着させることで閉塞状態となり、燃料供給タンク３からの燃料の流出を防止する。この状態で燃料供給タンク３を反転させ、給油キャップ９を上向きにして給油キャップ９を緩め、給油口７から取り外す。そして、給油口７から石油を補給したのち再び、給油キャップ９を螺合させて給油口７に取り付け、燃焼機器本体１に逆転装着することで、油受け容器１０への石油の供給が開始されるものである。
【０００８】
つまり、従来の燃料供給タンク３の着脱操作は、燃料供給タンク３を燃焼機器本体１の上方まで持ち上げ、タンク収納部４の上方から着脱するようになっていた。
【０００９】
上記したように従来の構成においては、燃料供給タンク３を燃焼機器本体１のタンク収納部４に着脱する際、空の場合は負担が少ないが、燃料を補給して満量となった燃料供給タンク３を燃焼機器本体１のタンク収納部４に装着する時は、重量が増大しているため、燃焼機器本体１の上方まで持ち上げ、かつタンク収納部４の真上に横移動させて開口４ａに合わせながらタンク収納部４内に下ろして設置する必要があり、使用者の最も大きな負担となっている。
【００１０】
特に近年、燃料供給タンク３は使い勝手上から給油回数を減らして給油の手間を省くため、どんどん大容量化の傾向にあり、９リットルを超えるものまで出てきている。例えば、９リットルの燃料供給タンクであれば、燃料供給タンク自身の重量と燃料の重量を合わせると１０ｋｇを超えるような重量となる。
【００１１】
また、燃焼機器本体１も設置の省スペース化の観点から、そのフォルムも横長のものより縦長のものが増えてきており、タンク収納部４に燃料供給タンク３を燃焼機器本体１より上方へ持ち上げて装着する作業が益々困難となっている。
【００１２】
また、燃料供給タンク３の装着作業は、設置者の姿勢的にも燃料供給タンク３をタンク収納部４の上方真上へ、体から離して持ち上げなければならなく負担が大きい。特に、上背の低い人や力の弱い人、例えばお年寄りや女性等は負担が極めて大きくなり、給油の度毎に燃料供給タンク３の着脱作業が煩わしいものであった。
【００１３】
さらに、燃料供給タンク３の容量が大型化する中にあって、燃料供給タンク３に燃料を満量まで入れると、燃料供給タンク３を燃焼機器本体１の上方まで持ち上げられない、あるいは負担が大きくなり過ぎる等の理由で、燃料を燃料供給タンク３の途中まで入れて使うという使用者もあり、その結果、給油作業を頻繁に行わなければならないことになり、タンク容量を大型化し給油回数の手間を省くという製造者の意図に反した使用方法が行われている。
【００１４】
さらに、タンク収納部４に収納されて油受け容器１０の受け口１０ａに給油口７を嵌合している燃料供給タンク３は、図６に示すようにタンク収納部４内に自立している状態なので、何らかの理由で燃焼機器本体１に衝撃や振動が加わると自立が不安定になる恐れがあった。
【００１５】
【発明が解決しようとする課題】
上記従来の技術の問題点に鑑み、本発明が解決しようとする課題は、燃料補給時における燃料供給タンクの燃焼機器本体への着脱作業の負担を軽減し、かつ燃料供給タンクの収納を確実にして使い勝手と安全性の向上を図った石油燃焼機を提供することを目的とするものである。
【００１６】
【課題を解決するための手段】
上記課題を解決するために本発明は、油受け容器の上部に位置して燃焼機器本体内に設けたタンク収納部を、前記燃焼機器本体の横方向から燃料供給タンクを着脱できるように側面を開放し、かつ前記タンク収納部の開放した側面を覆う前記開閉扉を不用意に開かないようにするロック手段を設けた石油燃焼機としている。
【００１７】
上記手段によれば、従来の技術のように燃料供給タンクを燃焼機器本体の上方まで持ち上げずに使用者は着脱が容易に行うことができ、特に燃料が満量で重量物となる燃料供給タンクを、使用者が無理な姿勢で持ち上げなくてもよくなり、着脱作業の負担が大幅に軽減でき、大幅に使い勝手を向上できる。
【００１８】
また、油受け容器の上部およびタンク収納部内も燃焼機器本体の横方向から容易に掃除することができるとともに、燃焼機器本体に振動や衝撃が加わり開閉扉が不用意に開きタンク収納部に収納してある燃料供給タンクが不意に倒れてくるのを防止でき、安全性を確保できる。
【００１９】
【発明の実施の形態】
上記した本発明の目的は、各請求項に記載した構成を実施の形態とすることにより達成できるので、以下には各請求項に記載の構成にその構成による作用効果を併記し併せて請求項記載の構成のうち説明を必要とする特定用語については詳細な説明を加えて実施の形態とする。
【００２０】
請求項１記載に係る発明は、燃焼機器本体と、前記燃焼機器本体に設け、燃料を一時的に貯留する油受け容器と、前記油受け容器に着脱自在に設け、燃料を前記油受け容器に供給する持ち運び可能な燃料供給タンクと、前記油受け容器の上部に位置して前記燃焼機器本体内に設け、前記燃料供給タンクを収納するタンク収納部およびタンク収納部を開閉する開閉扉とを備え、前記タンク収納部は、前記燃焼機器本体の横方向から前記燃料供給タンクを着脱できるように側面を開放し、前記タンク収納部の開放した側面を覆う前記開閉扉を不用意に開かないようにするロック手段を設けた石油燃焼機である。
【００２１】
上記実施の形態によれば、タンク収納部には燃料供給タンクを燃焼機器本体の横方向から着脱できるようになり、従来の技術のように燃料供給タンクを燃焼機器本体の上方まで持ち上げずに使用者は着脱を容易に行うことができ、使い勝手を向上できる。
【００２２】
また特に、燃料が満量で重量物となる燃料供給タンクを、使用者は無理な姿勢で燃焼機器本体の上方まで持ち上げなくてもよくなり、着脱作業の負担が大幅に軽減される。さらに、タンク収納部内はもちろん、油受け容器の上部も燃焼機器本体の横方向から臨めるので、タンク収納部および油受け容器の上部を容易に掃除することができるとともに、シーズン終了後の機器収納作業時において、油受け容器から残った燃料を抜き取る際も、従来の技術における燃焼機器本体の上面に臨むタンク収納部の開口からホースなどを差し込んでする必要ががなく、油漏れ等の心配もなく、燃焼機器本体の横方向から簡単に行うことができる。
【００２３】
さらに、油受け容器に燃料供給タンクを装着した時に、タンク収納部を閉蓋した開閉扉をロック手段によりロックするので、燃焼機器本体に振動や衝撃が加わった場合、あるいは不用意に開閉扉に触った場合等において不用意に開閉扉が開く心配がなくなり、タンク収納部から燃料供給タンクが倒れて飛び出すことがなく、燃料供給タンクの装着後の収納形態を確実に維持することができ、安全性を確保することができる。
【００２４】
請求項２記載に係る発明は、請求項１記載の石油燃焼機にあって、ロック手段のロック状態を検出するロック検知手段と、前記ロック検知手段によるロックされていない検知信号に基づき、燃焼できないようにする制御手段とを有するものである。
【００２５】
上記実施の形態によれば、開閉扉をロックするロック手段のロック状態をロック検知手段が検知し、一方制御手段はロック検知手段が検知したロックされていない信号を取り込むと燃焼ができないように制御するので、タンク収納部から万がいち燃料供給タンクが飛び出した場合でも、事前に燃焼を停止することで危険な状態になる前に予防することができ、安全性を確実に確保することができる。
【００２６】
【実施例】
以下本発明の石油燃焼機である石油燃焼暖房機の一実施例について、図面を用いて説明する。
【００２７】
（実施例１）
図１は本発明の実施例１における石油燃焼暖房機の燃料供給タンク部分の着脱構成を示す斜視図で、図２は同燃料供給タンクの設置状態を示す要部半裁の断面図で、図３は同燃料供給タンクの正面図で、図４は同燃料供給タンクの給油キャップの断面図である。
【００２８】
図において、長方形状の燃焼機器本体２１は、前面下部のルーバ２２の部分より、燃料である石油を燃焼させて空気を温めた温風を吹出して部屋を暖房するものである。そして、燃焼機器本体２１は、石油を供給するカートリッジ式の持ち運び可能な燃料供給タンク２３を燃焼機器本体２１の右隅部分の横方向（水平方向を含む）より、燃焼機器本体２１の下部に設けた燃料を一時的に貯留する油受け容器２４の上部に位置したタンク収納部２５に矢印で示すように出し入れ自在に、かつ油受け容器２４に着脱自在に設置している。
【００２９】
すなわち、タンク収納部２５は燃焼機器本体２１内の右隅部分に縦方向に設け、燃焼機器本体２１の上面と右側面および背面の３面に臨む開放した開口を有し、この３面の開口を同時に開閉できる開閉扉２６を燃焼機器本体２１の背面板にヒンジ（図示せず）を介して横方向へ矢印で示すように回動自在に設けている。
また、タンク収納部２５は油受け容器２４に装着した燃料供給タンク２３の上面と開閉扉２６の上面との間に所定の間隙ｈを設けて、燃焼機器本体２１が何らかの原因で転倒した時に、燃料供給タンク２３が油受け容器２４から間隙ｈの分だけ移動（ずれる）することで、燃料供給タンク２３の弁機構（後述する）が作動して閉塞できるように構成している。
【００３０】
従って、燃料供給タンク２３は、石油を補給する時にはロックピン３９ａをロック孔３９ｂから抜き、開閉扉２６を燃焼機器本体２１の背面側へ回動して開き、上面に設けた取っ手２７を持ってタンク収納部２５より、間隙ｈだけ持ち上げて弁機構が閉じてから横方向へ取りだし、また石油を補給した燃料供給タンク２３をタンク収納部２５に設置する時には、取っ手２７を持って持ち運んできた燃料供給タンク２３を、開いているタンク収納部２５の横方向から持ち運んでタンク収納部２５の真上に横移動させて少なくとも間隙ｈだけタンク収納部２５内に下ろして油受け容器２４上に設置するものである。
【００３１】
このように取り扱う燃料供給タンク２３は、使い勝手上から使用中における燃料補給の回数を少なくして手間を省くことと、燃焼機器本体２１における設置スペースを小さくするために図３に示すように縦長の略直方体に形成され、上面に取っ手２７を、下面中央に石油を供給する給油口２８を設けている。２８ａは給油口２８の外周部に設けたネジ部で、２９は燃料供給タンク２３の燃料の量を確認する油量窓である。
【００３２】
３０は給油口２８のネジ部２８ａに着脱自在に螺合した給油キャップで、給油キャップ３０の内面に設けたネジ部３０ａと給油口２８のネジ部２８ａとが噛み合うようになっている。３１は給油キャップ３０内に一体化して設けた複数個の貫通孔３１ａを有する弁筒で、内部に弁機構３２を設けている。弁機構３２は給油キャップ３０と弁筒３１間に内装してあり、弁体３４と弁座３５およびバネ３６で構成し、給油キャップ３０の吐出口３３の開閉を行う。
【００３３】
３７は油受け容器２４の上面に取りつけた筒状の受け口で、燃料供給タンク２３の給油キャップ３０が嵌合し、かつ弁機構３２を開閉する弁押し上げピン３８が底部中央に突起してある。３９はタンク収納部２５を開閉する開閉扉２６が、燃焼機器本体２１に加わる衝撃や振動、不用意に触られた場合等に、独りでに不意に開かないようにするロック手段で、燃焼機器本体２１に固定してタンク収納部２５の上面端に臨む支持板４０に抜け止めして上下動自在に設けたロックピン３９ａと、ロックピン３９ａが差し込まれて開閉扉２６が閉じた位置でロックされる開閉扉２６のロック孔３９ｂで構成される。４１はタンク収納部２５を閉じた開閉扉２６のロック孔３９ｂにロックピン３９ａが差し込まれて開閉扉２６がロックされた時に、ロックピン３９ａにより押されて前記開閉扉２６のロック状態を検知するスイッチ等のロック検知手段で、ロックピン３９ａに相対向してタンク収納部２５内の端に設けてある。４２はマイクロコンピュータおよびその周辺回路からなる制御手段で、ロック検知手段４１のロック検知の信号に基づき燃焼機器本体２１の燃焼運転の全般を制御するとともに、ロックされていないロック検知手段４１の信号を取り込んだ時には、燃焼ができないように制御するものである。
【００３４】
上記実施例において、その動作を説明すると、まず給油キャップ３０を下向きにして燃料供給タンク２３を油受け容器２４の受け口３７に装着すると、弁押し上げピン３８が弁体３４をバネ３６に抗して押し上げ、弁座３５による給油キャップ３０の吐出口３３の閉塞状態が解除される。これにより、燃料供給タンク２３の燃料は受け口３７を介して油受け容器２４内に供給され、給油キャップ３０の吐出口３３の油面高さまで蓄えられる。
【００３５】
そして、燃焼機器本体２１のバーナ（図示せず）で消費され油受け容器２４内の油面が低下すると、吐出口３３より燃料供給タンク２３内に空気が入り、この空気の置換作用で燃料供給タンク２３の燃料は油受け容器２４内に供給される。
この繰り返しにより油受け容器２４内の油面は一定油面を保持する。燃料供給タンク２３内の燃料が給油キャップ３０の端部、つまり吐出口３３まで減少してくると、弁筒３１の外周部に設けた複数の貫通孔３１ａより燃料の供給は継続され、燃料供給タンク２３内の燃料はほとんど使いきることになる。
【００３６】
次に、燃料供給タンク２３の燃料が空になると、開閉扉２６を開きタンク収納部２５から燃料供給タンク２３を取りだし給油キャップ３０を受け口３７から取り外す。この時、弁機構３２は弁押し上げピン３８で弁体３４を押し上げていた動作が解除されるため、弁体３４はバネ３６により元の状態に戻り、弁座３５を介して吐出口３３を閉塞状態に保つ。そして、取り出した燃料供給タンク２３を給油場所まで運び、給油キャップ３０を給油口２８から取り外してサイフォンポンプなどで給油口２８より給油を行う。
【００３７】
すなわち、タンク収納部２５には油受け容器２４上部近傍から横方向へ開閉する開閉扉２６を配設してあるので、開閉扉２６を横方向に回動させると、燃焼機器本体２１の上面、右側面、背面であるタンク収納部２５の３面が開放状態となり、取っ手２７を持って空の燃料供給タンク２３を少し持ち上げ（少なくとも間隙ｈ以上）て油受け容器２４の受け口３７から嵌合を外して横方向へ移動させタンク収納部２５より取り出すことができる。
【００３８】
また、燃料を補給して満量にした燃料供給タンク２３を油受け容器２４に装着する時は、取っ手２７を持って持ち運んできた燃料供給タンク２３を、開いているタンク収納部２５の横方向から持ち運んでタンク収納部２５の真上に横移動させて少なくとも間隙ｈだけタンク収納部２５内に下ろして油受け容器２４の受け口３７に給油キャップ３０を嵌合して設置し、最後に開閉扉２６を横方向に回動してタンク収納部２５をカバーする。そして、ロックピン３９ａを閉じた開閉扉２６のロック孔３９ｂに差し込んで開閉扉２６をロックするとともに、差し込んだロックピン３９ａのロック信号をロック検知手段４１が検知し、このロック検知信号が制御手段４２に取り込まれて燃焼可能な状態になる。
【００３９】
従って、従来のように取っ手２７を持って持ち運んできた燃料供給タンク２３を、燃焼機器本体２１の上方まで持ち上げて装着する必要がなく、燃料が満量状態で重い燃料供給タンクでも、使用者は容易にタンク収納部２５に着脱操作を行うことができ、使い勝手を向上できる。
【００４０】
さらに、タンク収納部２５に油受け容器２４の上部近傍から開閉する開閉扉２６は、タンク収納部２５の右側面と背面を開放するため、油受け容器２４が間近にあって斜め上方に臨むことができ、油やほこりなどで汚れた油受け容器２４の上面を容易に掃除することができ、また、シーズン終了後の燃焼機器本体２１の収納作業における油受け容器２４から残った燃料の抜き取り作業も、開放したタンク収納部２５の右側面と背面から受け口３７を通じて容易に行うことができる。
【００４１】
さらに、油受け容器２４に燃料供給タンク２３を装着した時に、燃料供給タンク２３の上面と燃焼機器本体２１のタンク収納部２５の開口上面である開閉扉２６の上面との間に、所定の間隙ｈを有する構成としてあるので、燃焼機器本体２１が何らかの原因で転倒したときに、油受け容器２４から燃料供給タンク２３が間隙ｈの分だけ移動し、弁押し上げピン３８よりずれ弁機構３２が閉塞されるため、燃料供給タンク２３内の燃料が流出し続けることがなく、安全性を向上できる。
【００４２】
さらに、タンク収納部２５を開閉する開閉扉２６にはロック手段３９を設けて不用意に開かないようにしてあるので、燃焼機器本体２１に加わる衝撃や振動、開閉扉２６が不用意に触られた場合等でも独りでに不意に開かないから、燃焼機器本体２１のタンク収納部２５に収納した燃料供給タンク２３の装着後の収納形態を確実に維持することができ、安全性を確保することができる。
【００４３】
さらに、開閉扉２６をロックするロック手段３９のロック状態をロック検知手段４１が検知し、一方制御手段４２はロック検知手段４１がロックされていない検知信号を取り込むと燃焼ができないように制御するので、タンク収納部２５から万がいち燃料供給タンク２３が飛び出した場合でも、事前に燃焼を停止することで危険な状態になる前に予防することができ、安全性を確実に確保することができる。
【００４４】
なお、上記実施例ではタンク収納部２５を燃焼機器本体２１の上面と右側面および背面の３面において開口させたが、燃焼機器本体２１の上面を除く一つの側面、または燃焼機器本体２１の上面と左右いずれかの側面または背面または前面のいずれか２面が開口してあれば、本実施例と同様の作用効果を期待できるものであり、またタンク収納部２５の形成する位置も燃焼機器本体２１の左右いずれの角部分、その他の場所であっても良い。
【００４５】
さらにタンク収納部２５が前記した２面の開口である場合、開閉扉２６も開放した２面、または開放した一つの側面をカバーする横方向の回動とするものである。
【００４６】
さらに上記実施例では、ロック手段３９を配設した構成と、ロック検知手段４１を配設した構成の両方を備えた実施例を説明したが、これは個別に構成してもよく、またロック手段３９、ロック検知手段４１の各構成も、本発明の目的・効果を達成するものであれば、実施例の構成に限られることなく、どのように構成してもよいものである。
【００４７】
【発明の効果】
以上のように本発明によれば、燃焼機器本体の上方まで持ち上げずに燃料供給タンクを油受け容器に燃焼機器本体の横方向から着脱でき、使い勝手を向上させることができるとともに、燃料供給タンクを安定してタンク収納部に収納維持できる。
【図面の簡単な説明】
【図１】本発明の実施例１における石油燃焼暖房機の燃料供給タンク部分の着脱構成を示す斜視図
【図２】同実施例１における燃料供給タンクの設置状態を示す要部半裁の断面図
【図３】同実施例１における燃料供給タンクの正面図
【図４】同実施例１における燃料供給タンクの給油キャップの拡大断面図
【図５】従来の石油燃焼暖房機における燃料供給タンク部分の着脱構成を示す斜視図
【図６】同石油燃焼暖房機における燃料供給タンクの設置状態を示す要部半裁の断面図
【図７】同石油燃焼暖房機における燃料供給タンクの正面図
【図８】同石油燃焼暖房機における燃料供給タンクの持ち運び時の形態を示す図
【符号の説明】
２１  燃焼機器本体
２３  燃料供給タンク
２４  油受け容器
２５  タンク収納部
２６  開閉扉
３９  ロック手段
４１  ロック検知手段
４２  制御手段
【図１】
2004251548.tif 000003
【図２】
2004251548.tif 000004
【図３】
2004251548.tif 000005
【図４】
2004251548.tif 000006
【図５】
2004251548.tif 000007
【図６】
2004251548.tif 000008
【図７】
2004251548.tif 000009
【図８】
2004251548.tif 000010